(57)【要約】　　　（修正有）【課題】ケースよりグリスが滲み出るのを防止できる上に、取付部へ半径方向から押して組み付けるという簡単な取付方法が容易にできる携帯機器用ヒンジを提供する。【解決手段】筒状のケース１１と、摺動カム１３と、回転カム１２と、圧縮コイルスプリング１４と、圧縮コイルスプリングの抜け出しを防止するためにケースの開放端側に取り付けられたストッパー部材１１とで構成する。回転カムの変形取付部は、これをケースの一端部側に設けた挿通孔を介して外部へ突出させ、ストッパー部材は、これをケースの他端部側に圧縮コイルスプリングの抜け出しを防止するために設けることができる。また、回転カムの変形取付部は、これをケースの他端部側に取り付けたストッパー部材に設けた挿通孔を介して外部へ突出させ、ケースの一端部側と摺動カムとの間に圧縮コイルスプリングを弾設することができる。【選択図】　　　　　図２
2004044743.tif 000002
【特許請求の範囲】
【請求項１】
外側に回り止め手段を設けた筒状のケースと、このケース内に回転を拘束された状態で軸方向へ摺動可能に収納された摺動カムと、前記ケースの軸方向へ突出させた変形取付軸部とこの変形取付軸部に続いて設けられたカム部を有し前記摺動カムのカム部と自己のカム部を前記ケース内で対向させ回転可能に前記ケースに取り付けられた回転カムと、前記摺動カムのカム部を前記回転カムのカム部側に圧接させるために前記ケース内に設けられた圧縮コイルスプリングと、この圧縮コイルスプリングの抜け出しを防止するために該ケースの開放端側に取り付けられたストッパー部材とで構成したことを特徴とする、携帯機器用ヒンジ。
【請求項２】
前記回転カムの変形取付部は、前記ケースの一端部側に設けた挿通孔を介して外部へ突出しており、前記ストッパー部材は前記ケースの他端部側に前記圧縮コイルスプリングの抜け出しを防止するために設けられていることを特徴とする、請求項１に記載の携帯機器用ヒンジ。
【請求項３】
前記回転カムの変形取付部は、前記ケースの他端部側に取り付けたストッパー部材に設けた挿通孔を介して外部へ突出しており、前記ケースの一端部側と前記摺動カムとの間に圧縮コイルスプリングを弾設したことを特徴とする、請求項１に記載の携帯機器用ヒンジ。
【請求項４】
前記ストッパー部材がピン状或は係止爪を有するものであることを特徴とする、請求項２に記載の携帯機器用ヒンジ。
【請求項５】
前記ストッパー部材が係止爪を設けたものであることを特徴とする、請求項３に記載の携帯機器用ヒンジ。
【発明の詳細な説明】
【０００１】
【発明の属する技術分野】
この発明は、携帯電話機やＯＡ機器の携帯端末のようにキーボード部を設けた第１の部材とディスプレー部を設けた第２の部材を相対的に開閉する際に用いて好適な携帯機器用ヒンジに関する。
【０００２】
【従来の技術】
従来、例えば図１２に示したように、シャフト１と、このシャフト１の一端部に係止された回転カム２と、この回転カム２と対向しつつ前記シャフト１に対して摺動可能かつ該シャフト１と共に回転するように取り付けられた摺動カム３と、この摺動カム３を内部に収納させ前記シャフト１の他端部に係止されたケース４と、このケース４と摺動カム３との間に弾設した圧縮コイルスプリング５とから成る、とくに携帯電話機に用いられる携帯機器用ヒンジが公知である。
【０００３】
【発明が解決しようとする課題】
上述した従来公知の携帯機器用ヒンジは、摺動カム３と、回転カム２との接触部分がケース４の開放端側に位置するため、摺動カム３と回転カム２の各摺接部に塗布させた潤滑用のグリスが外部へ滲み出易いという問題がある上に、シャフト１が強度保持上、金属ロッドからの切削品となるため製作コストが高くつくという問題があった。また、シャフト１によって全体の長さが規定されてしまうため、例えば携帯電話機へ組み付ける際に、該シャフト１を半径方向から押して全長を縮めて取り付けるという簡単な取付方法を採用することができないという問題もあった。
【０００４】
この発明の目的は、ケースよりグリスが滲み出るのを防止できる上に、取付部へ半径方向から押して組み付けるという簡単な取付方法が容易にできる携帯機器用ヒンジを提供せんとするにある。
【０００５】
【課題を解決するための手段】
上述した目的を達成するためにこの発明は、外側に回り止め手段を設けた筒状のケースと、このケース内に回転を拘束された状態で軸方向へ摺動可能に収納された摺動カムと、前記ケースの軸方向へ突出させた変形取付軸部とこの変形取付軸部に続いて設けられたカム部を有し前記摺動カムのカム部と自己のカム部を前記ケース内で対向させ回転可能に前記ケースに取り付けられた回転カムと、前記摺動カムのカム部を前記回転カムのカム部側に圧接させるために前記ケース内に設けられた圧縮コイルスプリングと、この圧縮コイルスプリングの抜け出しを防止するために該ケースの開放端側に取り付けられたストッパー部材とで構成したことを特徴とする。
【０００６】
その際に、前記回転カムの変形取付部を前記ケースの閉塞部側に設けた挿通孔を介して外部へ突出させ、前記ストッパー部材を前記ケースの開放端側に前記圧縮コイルスプリングの抜け出しを防止するために設けることができる。
【０００７】
この発明はまた、前記回転カムの変形取付部を前記ケースの開放端側に取り付けたストッパー部材に設けた挿通孔を介して外部へ突出させ、前記ケースの閉塞部側を前記摺動カムとの間に圧縮コイルスプリングが弾設させることができる。
【０００８】
この発明はまた、前記ストッパー部材をピン状或は係止爪を有するものとすることができる。
【０００９】
【発明の実施の形態】
図面はこの発明の一実施の形態を示し、図１乃至図７において、指示記号１０は一端部開放の丸筒状を呈したケースであり、その外周部軸方向には凸状の回り止め手段１０ａが設けられている。尚、この回り止め手段１０ａは複数個設けられても良く、また凹溝であっても良い。ケース１０の一端部１０ｂ側には、半径方向に貫通する係止孔１０ｃが設けられ、この係止孔１０ｃにストッパー部材１１が圧入されている。ケース１０の他端部１０ｄ側には挿通孔１０ｅが設けられ、ケース１０内に回転可能に収納された回転カム１２の断面略楕円形状を呈した変形取付部１２ａが、この挿通孔１０ｅを通して外部へ突出されている。この回転カム１２はその変形取付部１２ａに続いて軸方向に設けた凸部１２ｂと凹部１２ｃから成るカム部１２ｄが設けられている。ケース１０内にはそのカム部１３ａを回転カム１２のカム部１２ｄと対向させて摺動カム１３が収納されている。この摺動カム１３は、その外周に設けた４本の突状１３ｂを、ケース１０の内側に設けた４本の凹溝１０ｆと係合させることにより、軸方向に摺動可能であるが、回転はケース１０に拘束されている。カム部１３ａは軸方向に設けた凸部１３ｃと凹部１３ｄにより構成されている。
【００１０】
そして、摺動カム１３とストッパー部材１１との間には、圧縮コイルスプリング１４が弾設され、摺動カム１３を回転カム１２側へ押圧させているので、互いのカム部１３ａと１２ｄは互いに圧接状態にある。
【００１１】
図８はこの発明に係る携帯機器用ヒンジの他の実施の形態を示し、図面によれば、この実施の形態のものは、ストッパー部材１５が、円盤状の部材１５ｂに一対の係止爪１５ａ，１５ａを設けた構成であり、この係止爪１５ａ，１５ａをケース１６へ挿入させ、内部に設けた係止孔１６ａ，１６ａへ係止させつつケース１６の開放端側を塞ぐようになっている。その他の指示記号の同じものは、先の実施の形態のものと同じ部材を表すので説明を省略する。
【００１２】
図９はこの発明に係る携帯機器用ヒンジのさらに他の実施の形態を示し、図面によれば、この実施の形態によるものは、ストッパー部材２０は円盤状の部材２０ｃに挿通孔２０ａと一対の係止爪２０ｂ，２０ｂを設けた構成であり、この係止爪２０ｂ，２０ｂをケース２１の一端部開放側より挿入させ、該ケース２１の内側に設けた係止孔２１ａ，２１ａへ係止させることによって開放端側を塞ぐ構成である。そして、挿通孔２０ａより回転カム１２の変形取付軸部１２ａを外部へ突出させている。
【００１３】
尚、ケース２１の他端部２１ｂと摺動カム１３との間に圧縮コイルスプリング１４を弾設してある。その他の指示記号の同じものは、先の実施の形態のものと同じ部材を表すので、その説明を省略する。
【００１４】
図１０乃至図１１はこの発明に係る携帯機器用ヒンジＡを、例えば２つ折りの携帯電話機２２の第１の部材を構成するキーボード部２３ａを備えた送話部２３と、第２の部材を構成するディスプレー部２４ａを備えた受話部２４を相対的に開閉可能に連結する場合の組み付け方法を示す。図面によれば、とくに図１０に示したように、送話部２３の端部中央に設けた連結部２３ｂに設けた取付孔２３ｃには、一対の携帯機器用ヒンジＡ，Ａのケース１０，１０が挿入され、その図示してない回り止めによって単独では回転しないように固定されている。この状態において、各回転カムの変形取付部１２ａは連結部２３ｂの両端部より突出した状態にある。
【００１５】
この状態から各変形取付部１２ａ，１２ａを矢印ａの軸方向へ押すと、図３と図４から解るように、回転カム１２は圧縮コイルスプリング１４の弾力に抗して摺動カム１３を押し込みつつ自らもケース１０内へ引込むことから、送話部２３の連結部２３ｂは受話部２４の連結部２４ｂ，２４ｂの間に嵌入され、変形取付部１２ａ，１２ａに対する押圧力を解くと、該変形取付部１２ａ，１２ａが連結部２４ｂ，２４ｂに設けた変形取付孔２４ｃ，２４ｃ内に嵌入係合することにより、とくに図１１に示したように一方の連結部２３ｂと他方の連結部２４ｂ，２４ｂの連結、しかして携帯電話機２２に対するヒンジＡ，Ａの組み付けが終了することになる。この組付方法は、突出している各ヒンジＡ，Ａの変形取付部１２ａ，１２ａを同時に引込ませて受話部２４の連結部２４ｂ，２４ｂの間に送話部２３の連結部２３ｂを挿入させてやる方法と、片側ずつ挿入させてやる方法がある。
【００１６】
また、各ヒンジＡ，Ａのケース１０，１０を受話部２４の連結部２４ｂ，２４ｂに取り付けて、各変形取付部１２ａ，１２ａを送話部２３の連結部２３ｂの変形取付孔（図示せず）へ嵌入係止させるように構成しても良い。
【００１７】
したがって、送話部２３と受話部２４を閉じた状態においては、図７に示したように、回転カム１２のカム部１２ｄの凸部１２ｂは、摺動カム１３のカム部１３ａの凹部１３ｄの最深部ａに落ち込んでいるので、両者は閉成状態を保っている。次いで、送話部２３と受話部２４を互いにヒンジＡ，Ａを支点にして開き始めると、回転カム１２のカム部１２ｄの凸部１２ｂは、摺動カム１３のカム部１３ａの凹部１３ｄの最深部ａを脱して図７に示したように緩傾斜面ｂを登り始め、摺動カム１３は圧縮コイルスプリング１４の弾力に抗して右側へ摺動して両者の相対的開放を許容する。両者が相対的に１２７°まで開かれると、回転カム１２のカム部１２ｄの凸部１２ｂは摺動カム１３のカム部１３ａの凸部１３ｃの頂部に達し、次いで凹部１３ｄの急斜面ｃを下り始めるので、両者は圧縮コイルスプリング１４の弾力により自動的に１８０°の位置の凹部１３ｄの最深部ａまで開かれ、その位置で安定停止保持される。１８０°以上の開成は連結部２３ｂ，２４ａに設けた互いの図示してないストッパー部材により阻止される。開いた送話部２３と受話部２４を閉じる場合には、回転カム１２のカム部１２ｄの凸部１２ｂが摺動カム１３のカム部１３ａの急斜面ｃを登ることになるので、少し強い抵抗に遭遇するが、１２７°を越えると、凸部１２ｂが緩斜面ｂを下ることになるので、加速度的に軽く閉じられ、その閉成直前において急激に凹部１３ｄの最深部ａへ落ち込むため、吸い込まれるように閉成されることになる。
【００１８】
尚、以上はこの発明に係る携帯機器用ヒンジを携帯電話機に用いた場合について説明したが、このもの以外の第１の部材と第２の部材を相対的に開閉させるＯＡ機器の各種携帯端末に用いることが可能である。
【００１９】
【発明の効果】
この発明は以上のように構成したので、回転カムと摺動カムがケース内に収納された結果、該回転カムと摺動カムのとくに各カム部に塗布したグリスがケース外へ滲み出て来るのを可及的に防止することができる上に、シャフトを省略することにより製作コストを下げ、かつ携帯機器への組み付けが容易となるという効果を奏し得るものである。
【図面の簡単な説明】
【図１】この発明に係る携帯機器用ヒンジの斜視図である。
【図２】この発明に係る携帯機器用ヒンジの分解斜視図である。
【図３】この発明に係る携帯機器用ヒンジの縦断面図である。
【図４】この発明に係る携帯機器用ヒンジの動作を説明する縦断面図である。
【図５】この発明に係る携帯機器用ヒンジのケースの側面図である。
【図６】この発明に係る携帯機器用ヒンジの回転カムのカム部の展開図である。
【図７】この発明に係る携帯機器用ヒンジの摺動カムのカム部の展開図である。
【図８】この発明に係る携帯機器用ヒンジの他の実施の形態を示す分解正面図である。
【図９】この発明に係る携帯機器用ヒンジのさらに他の実施の形態を示す分解正面図である。
【図１０】この発明に係る携帯機器用ヒンジを携帯電話機へ組み込む場合の説明図である。
【図１１】この発明に係る携帯機器用ヒンジを携帯電話機へ組み込んだ後の場合の説明図である。
【図１２】従来公知の携帯機器用ヒンジの構成を示す縦断面図である。
【符号の説明】
Ａ　携帯機器用ヒンジ
１０，１６，２１　ケース
１０ａ　回り止め手段
１１，１５，２０　ストッパー部材
１２　回転カム
１２ａ　変形取付部
１２ｄ　カム部
１３　摺動カム
１３ａ　カム部
１４　圧縮コイルスプリング
１５ａ　係止爪
２０ｂ　係止爪
【図１】
2004044743.tif 000003
【図２】
2004044743.tif 000004
【図３】
2004044743.tif 000005
【図４】
2004044743.tif 000006
【図５】
2004044743.tif 000007
【図６】
2004044743.tif 000008
【図７】
2004044743.tif 000009
【図８】
2004044743.tif 000010
【図９】
2004044743.tif 000011
【図１０】
2004044743.tif 000012
【図１１】
2004044743.tif 000013
【図１２】
2004044743.tif 000014